(57)【特許請求の範囲】
【請求項１】
所定の機能の実行を要求する操作手段と、
この操作手段からの実行要求に応じて被制御部の動作を制御する制御手段と、
電源を共有するアクセサリーの接続の有無およびその種類を判別するアクセサリー接続判別手段と、
上記操作手段で実行要求し得る各機能に関してそれぞれを通常の能力で実行する際に使用可能なアクセサリーの種類、並びに上記操作手段で実行要求し得る各機能のうち一部の能力を制限して実行することで使用可能なアクセサリーの種類を増やすことができる機能に関してそれぞれを一部の能力を制限して実行する際のみ使用可能なアクセサリーの種類を記憶する記憶手段とを備え、
上記アクセサリー接続判別手段の判別結果および上記記憶手段の記憶内容に基づき、上記操作手段で実行要求される所定の機能の実行が可能であるとき、上記制御手段は上記所定の機能が通常の能力または一部制限された能力で実行されるように上記被制御部を制御することを特徴とする電子機器。
【請求項２】
所定の機能の実行を要求する操作手段と、
この操作手段からの実行要求に応じて被制御部の動作を制御する制御手段と、
電源電圧を検出する電源電圧検出手段と、
上記操作手段で実行要求し得る各機能に関してそれぞれを通常の能力で実行する際に必要な電源電圧、並びに上記操作手段で実行要求し得る各機能のうち一部の能力を制限して実行することで必要な電源電圧を低くできる機能に関してそれぞれを一部の能力を制限して実行する際に必要な電源電圧を記憶する記憶手段とを備え、
上記電源電圧検出手段の検出結果および上記記憶手段の記憶内容に基づき、上記操作手段で実行要求される所定の機能の実行が可能であるときは、上記制御手段は上記所定の機能が通常の能力または一部制限された能力で実行されるように上記被制御部を制御することを特徴とする電子機器。
【請求項３】
所定の機能の実行を要求する操作手段と、
この操作手段からの実行要求に応じて被制御部の動作を制御する制御手段と、
電源の種類を判別する電源種類判別手段と、
上記操作手段で実行要求し得る各機能に関してそれぞれを通常の能力で実行する際に使用可能な電源の種類、並びに上記操作手段で実行要求し得る各機能のうち一部の能力を制限して実行することで使用可能な電源の種類を増やすことができる機能に関してそれぞれを一部の能力を制限して実行する際にのみ使用可能な電源の種類を記憶する記憶手段とを備え、
上記電源種類判別手段の判別結果および上記記憶手段の記憶内容に基づき、上記操作手段で実行要求される所定の機能の実行が可能であるときは、上記制御手段は上記所定の機能が通常の能力または一部制限された能力で実行されるように上記被制御部を制御することを特徴とする電子機器。
【請求項４】
所定の機能の実行を要求する操作手段と、
この操作手段からの実行要求に応じて被制御部の動作を制御する制御手段と、
上記操作手段で実行要求された機能が通常の能力で正常に動作しているか否かを判断する判断手段とを備え、
上記判断手段で正常に動作していないと判断されるとき、上記制御手段は上記被制御部の動作を制御し、上記操作手段で実行要求された機能を一部制限した能力で実行させることを特徴とする電子機器。
【請求項５】
上記操作手段で実行要求される所定の機能の実行が不可能であるときは、その旨を表示する表示手段を有することを特徴とする請求項１〜請求項４のいずれかに記載の電子機器。
【発明の詳細な説明】
【０００１】
【産業上の利用分野】
この発明は、例えばＬＣＤパネル、チューナ等のアクセサリーを接続でき、あるいはバッテリ、乾電池、ＡＣアダプタ等の電源を使用できるカメラ一体型ビデオテープレコーダ（ＶＴＲ）等に適用して好適な電子機器に関する。
【０００２】
【従来の技術】
従来のカメラ一体型ＶＴＲでは、使用する電源の能力を最大限に引き出すため、電源の特性によってカメラ一体型ＶＴＲの性能（早送り、巻き戻しの倍速数等）が決定してしまう場合がある。そのカメラ一体型ＶＴＲが、電源を共有するＬＣＤパネル、チューナ等のアクセサリーを接続して使用可能な場合、そのアクセサリーの消費電力を考慮して性能を決定する必要がある。また、従来のカメラ一体型ＶＴＲでは、電源電圧が低下した際の誤動作、不具合を避けるために電源電圧が一定値以下になった場合、自動的に電源をオフとするいわゆるシャットダウンが行われる。
【０００３】
【発明が解決しようとする課題】
上述したように従来のカメラ一体型ＶＴＲでは、電源を共有するＬＣＤパネル、チューナ等のアクセサリーを接続して使用可能な場合、そのアクセサリーの消費電力を考慮して性能が決定されるため、カメラ一体型ＶＴＲ本体の能力はアクセサリーの消費電力を考慮しないものより劣ってしまう等の不都合がある。また、このような能力の低下を防止するためには、アクセサリーには別の電源を接続する必要がある等の不都合がある。
【０００４】
また、上述したように従来のカメラ一体型ＶＴＲでは、電源電圧が一定値以下となった場合にはシャットダウンが行われる。一方、電源としてのバッテリには内部抵抗が存在するため、取り出す電流量に比例して電源電圧が低下する、そのため、消費電力の大きな機能を持つカメラ一体型ＶＴＲほど電源電圧の低下が大きく、シャットダウンを行う電圧を高く設定する必要がある。すなわち、その機能を使う使わないに拘らず、消費電力の大きな機能を持つカメラ一体型ＶＴＲほどシャットダウン電圧が高くなり、バッテリの持続時間が短くなる等の不都合がある。
【０００５】
また、上述したように従来のカメラ一体型ＶＴＲでは、電源の特性によってカメラ一体型ＶＴＲの性能が決定してしまう場合がある。特に、主に使用される電源の特性（電圧、最大電流、内部抵抗、温度特性等）によって性能が決定する。そのため、他の電源を使用する場合には、その電源は主に使用される電源の能力を上回っている必要がある。また、複数種類の電源を使用することを前提として設定された場合、能力の劣る電源に合わせてカメラ一体型ＶＴＲの性能を決定する必要がある等の不都合がある。
【０００６】
そこで、この発明では、実行要求される機能がアクセサリーの接続の有無や接続されるアクセサリー種類に応じた能力で実行される電子機器を提供するものである。また、この発明では、実行要求される機能が電源電圧に応じた能力で実行される電子機器を提供するものである。また、実行要求される機能が電源の種類に応じた能力で実行される電子機器を提供するものである。
【０００７】
【課題を解決するための手段】
請求項１の発明に係る電子機器は、所定の機能の実行を要求する操作手段と、この操作手段からの実行要求に応じて被制御部の動作を制御する制御手段と、電源を共有するアクセサリーの接続の有無およびその種類を判別するアクセサリー接続判別手段と、操作手段で実行要求し得る各機能に関してそれぞれを通常の能力で実行する際に使用可能なアクセサリーの種類、並びに操作手段で実行要求し得る各機能のうち一部の能力を制限して実行することで使用可能なアクセサリーの種類を増やすことができる機能に関してそれぞれを一部の能力を制限して実行する際のみ使用可能なアクセサリーの種類を記憶する記憶手段とを備えるものである。そして、アクセサリー接続判別手段の判別結果および記憶手段の記憶内容に基づき、操作手段で実行要求される所定の機能の実行が可能であるとき、制御手段は所定の機能が通常の能力または一部制限された能力で実行されるように被制御部を制御するものである。
【０００８】
請求項２の発明に係る電子機器は、所定の機能の実行を要求する操作手段と、この操作手段からの実行要求に応じて被制御部の動作を制御する制御手段と、電源電圧を検出する電源電圧検出手段と、操作手段で実行要求し得る各機能に関してそれぞれを通常の能力で実行する際に必要な電源電圧、並びに操作手段で実行要求し得る各機能のうち一部の能力を制限して実行することで必要な電源電圧を低くできる機能に関してそれぞれを一部の能力を制限して実行する際に必要な電源電圧を記憶する記憶手段とを備えるものである。そして、電源電圧検出手段の検出結果および記憶手段の記憶内容に基づき、操作手段で実行要求される所定の機能の実行が可能であるときは、制御手段は所定の機能が通常の能力または一部制限された能力で実行されるように被制御部を制御するものである。
【０００９】
請求項３の発明に係る電子機器は、所定の機能の実行を要求する操作手段と、この操作手段からの実行要求に応じて被制御部の動作を制御する制御手段と、電源の種類を判別する電源種類判別手段と、操作手段で実行要求し得る各機能に関してそれぞれを通常の能力で実行する際に使用可能な電源の種類、並びに操作手段で実行要求し得る各機能のうち一部の能力を制限して実行することで使用可能な電源の種類を増やすことができる機能に関してそれぞれを一部の能力を制限して実行する際にのみ使用可能な電源の種類を記憶する記憶手段とを備えるものである。そして、電源種類判別手段の判別結果および記憶手段の記憶内容に基づき、操作手段で実行要求される所定の機能の実行が可能であるときは、制御手段は所定の機能が通常の能力または一部制限された能力で実行されるように被制御部を制御するものである。
【００１０】
請求項４の発明に係る電子機器は、所定の機能の実行を要求する操作手段と、この操作手段からの実行要求に応じて被制御部の動作を制御する制御手段と、操作手段で実行要求された機能が通常の能力で正常に動作しているか否かを判断する判断手段とを備え、判断手段で正常に動作していないと判断されるとき、制御手段は被制御部の動作を制御し、操作手段で実行要求された機能を一部制限した能力で実行させるものである。
【００１１】
請求項５の発明に係る電子機器は、請求項１〜請求項４のいずれかの発明において、表示部を有し、操作手段で要求される所定の機能の実行が不可能であるときは、表示部にその旨を表示するものである。
【００１２】
【作用】
請求項１の発明においては、アクセサリーの接続の有無や接続されるアクセサリーの種類、従ってアクセサリーの接続による消費電力が考慮されると共に、実行要求される機能の消費電力が考慮され、実行要求される機能の実行が可能であるときは通常の能力または一部制限された能力で実行されるため、電源の能力を最大限に引き出すことが可能となる。
【００１３】
請求項２の発明においては、電源電圧が考慮されると共に、実行要求される機能の消費電力が考慮され、実行要求される機能の実行が可能であるときは通常の能力または一部制限された能力で実行されるため、電源の能力を最大限に引き出すことが可能となる。
【００１４】
請求項３の発明においては、電源の種類が考慮されると共に、実行要求される機能の消費電力が考慮され、実行要求される機能の実行が可能であるときは通常の能力または一部制限された能力で実行されるため、電源の能力を最大限に引き出すことが可能となる。
【００１５】
請求項４の発明においては、実行要求される機能が通常の能力で正常に動作していないと判断されるときは、機能を一部制限した能力で実行させるものであり、電源の能力を最大限に引き出すことが可能となる。
【００１６】
請求項５の発明においては、操作手段で実行要求される所定の機能の実行が不可能であるときは表示部にその旨が表示されるものであり、実行要求される機能の実行が不可能であることをユーザに容易に認識させることが可能となる。
【００１７】
【実施例】
以下、図１を参照しながら、この発明の第１実施例について説明する。本例は、電源を共有するＬＣＤパネルやチューナ等のアクセサリーを接続して使用可能なカメラ一体型ＶＴＲに適用した例である。
【００１８】
図において、１は制御用マイコンであって、この制御用マイコン１によって被制御部（カメラ一体型ＶＴＲの回路系、メカ系）２が制御される。また、この制御用マイコン１には、ユーザ２が録画、再生、早送り、巻き戻し等の機能の実行を要求する操作キー３が接続されると共に、液晶表示素子等で構成される表示部４が接続される。
【００１９】
また、５はＬＣＤパネルやチューナ等のアクセサリー（図示せず）が接続されているか否か、および接続されたアクセサリーの種類を判別するアクセサリー接続判別スイッチである。この判別スイッチ５は制御用マイコン１に接続される。また、図示せずも、制御用マイコン１内のメモリには、操作キー３で実行要求し得る各機能に関してそれぞれを通常の能力で実行する際に使用可能なアクセサリーの種類と、操作キー３で実行要求し得る各機能のうち能力を制限して実行することで使用可能なアクセサリーの種類を増やすことができる機能に関してそれぞれを能力を制限して実行する際のみ使用可能なアクセサリーの種類が記憶される。これらの使用可能なアクセサリーは、各機能を通常の能力または能力を制限して実行する際の消費電力、各アクセサリーの消費電力および電源の能力を考慮して決定される。
【００２０】
例えば、能力を制限して実行することができる機能としては早送りや巻き戻し等の機能があり、倍速数を遅くして実行することができる。そして、このように倍速数を遅くすることで電源より取り出す電流量を小さくでき、通常の倍速数では使用不可能な消費電力の大きなアクセサリーの使用も可能となる。
【００２１】
次に、操作キー３によってユーザからの所定の機能の実行要求がある場合の制御用マイコン１の動作を図２のフローチャートを使用して説明する。
【００２２】
まず、ステップＳＴ１で、操作キー３によってユーザからの所定の機能の実行要求があるか否かを判断する。実行要求があるときは、ステップＳＴ２で、アクセサリー接続判別スイッチ５からの判別結果に基づいて、アクセサリーの接続の有無、さらには接続されているときはアクセサリーの種類を認識する。
【００２３】
次に、ステップＳＴ３で、メモリの記憶内容を参照して、ステップＳＴ２で認識されたアクセサリーが接続された状態において、実行要求された機能が通常の能力で実行可能か否かが判定される。この場合、アクセサリーが接続されていない場合には通常の能力で実行可能と判定する。また、アクセサリーが接続されている場合には、実行要求された機能を通常の能力で実行する際に使用可能なアクセサリー（制御用マイコン１内のメモリに記憶されている）の中に現在接続されているアクセサリーが含まれているときは通常の能力で実行可能と判定する。
【００２４】
ステップＳＴ３で実行可能であるときは、ステップＳＴ４で被制御部２を制御して実行要求された機能を通常の能力で実行させ、ステップＳＴ１に戻る。一方、ステップＳＴ３で実行不可能であるときは、ステップＳＴ５で、メモリの記憶内容を参照して、ステップＳＴ２で認識されたアクセサリーが接続された状態において、実行要求された機能が制限された能力で実行可能か否かが判定される。この場合、実行要求された機能を制限された能力で実行する際に使用可能なアクセサリー（制御用マイコン１内のメモリに記憶されている）の中に現在接続されているアクセサリーが含まれているときは制限された能力で実行可能と判定する。
【００２５】
ステップＳＴ５で実行可能であるときは、ステップＳＴ６で被制御部２を制御して実行要求された機能を制限した能力で実行させ、ステップＳＴ１に戻る。一方、ステップＳＴ５で実行不可能であるときは、ステップＳＴ７で、実行不可能である旨を表示部４に表示させ、ステップＳＴ１に戻る。
【００２６】
このように本例においては、アクセサリーの接続の有無や接続されるアクセサリーの種類、従ってアクセサリーの接続による消費電力が考慮されると共に、実行要求される機能の消費電力が考慮され、実行要求される機能の実行が可能であるときは通常の能力または制限された能力で実行されるため、電源の能力を最大限に引き出すことができる。また、実行要求された機能の実行が不可能であるときは表示部４にその旨が表示されるため、実行要求された機能の実行が不可能であることをユーザに容易に認識させることができる。
【００２７】
上述した第１実施例においては、制御用マイコン１内のメモリに各機能を通常の能力または制限した能力で実行する際に使用可能なアクセサリーの種類を記憶しておき、アクセサリーの接続の有無や接続されるアクセサリーの種類の情報とメモリの記憶内容に基づいて実行要求された機能が通常の能力または制限した能力で実行可能かを判断して実行させるものであるが、これとは別に実行要求された機能を通常の能力で実行させるように被制御部２を制御し、実行開始後に正常に実行できない場合に初めて能力を制限し、もしくは実行動作を中止させるようにしてもよい。
【００２８】
次に、図３を参照しながら、この発明の第２実施例について説明する。本例もカメラ一体型ＶＴＲに適用した例である。この図３において、図１と対応する部分には同一符号を付し、その詳細説明は省略する。
【００２９】
図において、６は電源電圧を検出する電源電圧検出部である。この電源電圧検出部６の検出結果は制御用マイコン１に供給される。また、制御用マイコン１内のメモリには、操作キー３で実行要求し得る各機能に関してそれぞれを通常の能力で実行するために必要な電源電圧と、操作キー３で実行要求し得る各機能のうち能力を制限して実行することで必要な電源電圧を小さくできる機能に関してそれぞれを能力を制限して実行するために必要な電源電圧が記憶される。これらの電源電圧は、各機能を通常の能力または能力を制限して実行する際の消費電力を考慮して決定される。
【００３０】
例えば、能力を制限して実行することができる機能としては早送りや巻き戻し等の機能があり、倍速数を遅くして実行することができる。そして、このように倍速数を遅くすることで電源より取り出す電流量を小さくでき、通常の倍速数で実行する場合に比べて低い電源電圧で動作させることが可能となる。
【００３１】
次に、操作キー３によってユーザからの所定の機能の実行要求がある場合の制御用マイコン１の動作を図４のフローチャートを使用して説明する。
【００３２】
まず、ステップＳＴ１１で、操作キー３によってユーザからの所定の機能の実行要求があるか否かを判断する。実行要求があるときは、ステップＳＴ１２で、電源電圧検出部５からの検出結果に基づいて、電源電圧を認識する。
【００３３】
次に、ステップＳＴ１３で、メモリの記憶内容を参照して、ステップＳＴ１２で認識された電源電圧において、実行要求された機能が通常の能力で実行可能か否かが判定される。この場合、検出された電源電圧が実行要求された機能を通常の能力で実行するために必要な電源電圧（制御用マイコン１内のメモリに記憶されている）より大きいときは通常の能力で実行可能と判定する。
【００３４】
ステップＳＴ１３で実行可能であるときは、ステップＳＴ１４で被制御部２を制御して実行要求された機能を通常の能力で実行させ、ステップＳＴ１１に戻る。一方、ステップＳＴ１３で実行不可能であるときは、ステップＳＴ１５で、メモリの記憶内容を参照して、ステップＳＴ１２で認識された電源電圧において、実行要求された機能が制限された能力で実行可能か否かが判定される。この場合、検出された電源電圧が実行要求された機能を制限した能力で実行するために必要な電源電圧（制御用マイコン１内のメモリに記憶されている）より大きいときは制限した能力で実行可能と判定する。
【００３５】
ステップＳＴ１５で実行可能であるときは、ステップＳＴ１６で被制御部２を制御して実行要求された機能を制限した能力で実行させ、ステップＳＴ１１に戻る。一方、ステップＳＴ１５で実行不可能であるときは、ステップＳＴ１７で、実行不可能である旨を表示部４に表示させ、ステップＳＴ１１に戻る。
【００３６】
このように本例においては、電源電圧が考慮されると共に、実行要求される機能の消費電力が考慮され、実行要求される機能の実行が可能であるときは通常の能力または制限された能力で実行されるため、電源の能力を最大限に引き出すことができる。これにより、消費電力の大きな機能を持つカメラ一体型ＶＴＲにおいても、消費電力の小さな機能に関してはシャットダウン電圧を小さくでき、バッテリーの持続時間を長くすることができる利益がある。
【００３７】
上述した第２実施例においては、制御用マイコン１内のメモリに各機能を通常の能力または制限した能力で実行するめに必要な電源電圧を記憶しておき、電源電圧とメモリの記憶内容に基づいて、実行要求された機能が通常の能力または制限した能力で実行可能かを判断して実行させるものであるが、これとは別に実行要求された機能を通常の能力で実行させるように被制御部２を制御し、実行開始後に正常に実行できない場合に初めて能力を制限し、もしくは動作を中止させるようにしてもよい。
【００３８】
また、上述した第２実施例においては、電源電圧とメモリの記憶内容に基づいて、実行要求された機能が通常の能力または制限した能力で実行可能かを制御用マイコン１で自動的に判断するようにしたものであるが、機能は多いがシャットダウン電圧の高いモードや機能は少ないがシャットダウン電圧が低くバッテリーの持続時間が長いモード、さらにはその中間のモード等を用意し、ユーザに選択させることでバッテリーの持続時間を延ばすようにしてもよい。
【００３９】
また、図４のフローチャートには図示していないが、基本的な機能（各機種によって異なると考えられる）が実行不可能な電源電圧となった場合には、電源をオフとしてシャットダウンを行うように構成してもよい。
【００４０】
次に、図５を参照しながら、この発明の第３実施例について説明する。本例もカメラ一体型ＶＴＲに適用した例である。この図５において、図１と対応する部分には同一符号を付し、その詳細説明は省略する。
【００４１】
図において、７は電源の種類を判別する電源種類判別スイッチである。この電源種類判別スイッチ７は制御用マイコン１に接続される。また、制御用マイコン１内のメモリには、操作キー３で実行要求し得る各機能に関してそれぞれを通常の能力で実行する際に使用可能な電源の種類と、操作キー３で実行要求し得る各機能のうち能力を制限して実行することで使用可能な電源の種類を増やすことができる機能に関してそれぞれを能力を制限して実行する際にのみ使用可能な電源の種類が記憶される。これらの電源の種類は、各機能を通常の能力または制限した能力で実行する際の消費電力等を考慮して決定される。
【００４２】
例えば、能力を制限して実行することができる機能としては早送りや巻き戻し等の機能があり、倍速数を遅くして実行することができる。そして、このように倍速数を遅くすることで電源より取り出す電流量を小さくでき、通常の倍速数で実行する場合に比べて低い電源電圧で動作させることが可能となる。
【００４３】
次に、操作キー３によってユーザからの所定の機能の実行要求がある場合の制御用マイコン１の動作を図６のフローチャートを使用して説明する。
【００４４】
まず、ステップＳＴ２１で、操作キー３によってユーザからの所定の機能の実行要求があるか否かを判断する。実行要求があるときは、ステップＳＴ２２で、電源種類判別スイッチ７からの判別結果に基づいて、電源の種類を認識する。
【００４５】
次に、ステップＳＴ２３で、メモリの記憶内容を参照して、ステップＳＴ２２で認識された電源の種類において、実行要求された機能が通常の能力で実行可能か否かが判定される。この場合、実行要求された機能を通常の能力で実行する際に使用可能な電源の種類（制御用マイコン１内のメモリに記憶されている）の中に現在の電源があるときは通常の能力で実行可能と判定する。
【００４６】
ステップＳＴ２３で実行可能であるときは、ステップＳＴ２４で被制御部２を制御して実行要求された機能を通常の能力で実行させ、ステップＳＴ２１に戻る。一方、ステップＳＴ２３で実行不可能であるときは、ステップＳＴ２５で、メモリの記憶内容を参照して、ステップＳＴ２２で認識された電源の種類において、実行要求された機能が制限された能力で実行可能か否かが判定される。この場合、実行要求された機能を制限した能力で実行する際に使用可能な電源の種類（制御用マイコン１内のメモリに記憶されている）の中に現在の電源があるときは制限した能力で実行可能と判定する。
【００４７】
ステップＳＴ２５で実行可能であるときは、ステップＳＴ２６で被制御部２を制御して実行要求された機能を制限した能力で実行させ、ステップＳＴ２１に戻る。一方、ステップＳＴ２５で実行不可能であるときは、ステップＳＴ２７で、実行不可能である旨を表示部４に表示させ、ステップＳＴ２１に戻る。
【００４８】
このように本例においては、電源の種類が考慮されると共に、実行要求される機能の消費電力が考慮され、実行要求される機能の実行が可能であるときは通常の能力または制限された能力で実行されるため、電源の能力を最大限に引き出すことができる。
【００４９】
上述した第３実施例においては、制御用マイコン１内のメモリに各機能を通常の能力または制限した能力で実行する際に使用可能な電源の種類を記憶しておき、電源の種類の情報とメモリの記憶内容に基づいて、実行要求された機能が通常の能力または制限した能力で実行可能かを判断して実行させるものであるが、これとは別に実行要求された機能を通常の能力で実行させるように被制御部２を制御し、実行開始後に正常に実行できない場合に初めて能力を制限し、もしくは実行動作を中止させるようにしてもよい。
【００５０】
なお、第１実施例はアクセサリー接続判別スイッチ５からの判別結果を使用し、第２実施例は電源電圧検出部６の検出結果を使用し、そして第３実施例は電源種類判別スイッチ７の判別結果を使用するものであるが、これら第１〜第３の実施例の内容を２つ以上組み合わせたものも同様に構成できることは勿論である。また、上述実施例においては、操作キー３で実行要求された機能の実行が不可能であるときは表示部４にその旨が表示されるものであるが、発振音、音声等によってユーザに聴覚的に知らせるように構成してもよい。また、上述実施例は、カメラ一体型ＶＴＲに適用した例を示したが、この発明はテープレコーダ、ディスクプレーヤ等のその他の電子機器にも同様に適用できることは勿論である。
【００５１】
【発明の効果】
請求項１の発明によれば、アクセサリーの接続の有無や接続されるアクセサリーの種類、従ってアクセサリーの接続による消費電力が考慮されると共に、実行要求される機能の消費電力が考慮され、実行要求される機能の実行が可能であるときは通常の能力または一部制限された能力で実行されるため、電源の能力を最大限に引き出すことができる。
【００５２】
請求項２の発明によれば、電源電圧が考慮されると共に、実行要求される機能の消費電力が考慮され、実行要求される機能の実行が可能であるときは通常の能力または一部制限された能力で実行されるため、電源の能力を最大限に引き出すことができる。
【００５３】
請求項３の発明によれば、電源の種類が考慮されると共に、実行要求される機能の消費電力が考慮され、実行要求される機能の実行が可能であるときは通常の能力または一部制限された能力で実行されるため、電源の能力を最大限に引き出すことができる。
【００５４】
請求項４の発明によれば、実行要求される機能が通常の能力で正常に動作していないと判断されるときは、機能を一部制限した能力で実行させるものであり、電源の能力を最大限に引き出すことができる。
【００５５】
請求項５の発明によれば、操作手段で実行要求される所定の機能の実行が不可能であるときは表示部にその旨が表示されるものであり、実行要求される機能の実行が不可能であることをユーザに容易に認識させることができる。
【図面の簡単な説明】
【図１】この発明に係る電子機器の第１実施例を示す構成図である。
【図２】第１実施例の制御用マイコンの動作を説明するためのフローチャートである。
【図３】この発明に係る電子機器の第２実施例を示す構成図である。
【図４】第２実施例の制御用マイコンの動作を説明するためのフローチャートである。
【図５】この発明に係る電子機器の第３実施例を示す構成図である。
【図６】第３実施例の制御用マイコンの動作を説明するためのフローチャートである。
【符号の説明】
１  制御用マイコン
２  被制御部
３  操作キー
４  表示部
５  アクセサリー接続判別スイッチ
６  電源電圧検出部
７  電源種類判別スイッチ
【図１】
0003564739.tif 000002
【図２】
0003564739.tif 000003
【図３】
0003564739.tif 000004
【図４】
0003564739.tif 000005
【図５】
0003564739.tif 000006
【図６】
0003564739.tif 000007